(57)【要約】【課題】簡単な構造で十分な開口補強を実現可能な鉄筋コンクリート梁の開口部補強構造を備えたシングル配筋構造の梁筋ユニットを提供すること。【解決手段】梁幅方向に貫通する開口部を備えた鉄筋コンクリート梁に用いるために工場生産される梁筋ユニット３は、シングル配筋構造の梁筋ユニット本体３Ａと、開口部４の周囲を補強するために、梁筋ユニット本体３Ａに溶接された複数本の開口補強筋１１、１２とを有している。開口補強筋１１、１２は、開口部の左右に位置するようにあばら筋７に平行に配置され、上下の梁主筋５、６のそれぞれに対して、鉄筋母材の規格降伏点強度以上の溶接強度でスポット溶接されている。【選択図】図１
2017122378.tif 000002
【特許請求の範囲】
【請求項１】
梁幅方向に貫通する開口部を備えた鉄筋コンクリート梁に用いるために工場生産される梁筋ユニットであって、
シングル配筋構造の梁筋ユニット本体と、
前記開口部の周囲を補強するために、前記梁筋ユニット本体に溶接された複数本の開口補強筋と、
を有しており、
前記梁筋ユニット本体は、１本あるいは複数本の上梁主筋と、１本あるいは複数本の下梁主筋と、前記上梁主筋と前記下梁主筋に、所定のピッチでスポット溶接した複数本のあばら筋とを備え、前記あばら筋における前記上梁主筋および前記下梁主筋との交差部の溶接強度は鉄筋母材の規格降伏点強度以上であり、
前記開口補強筋は、前記開口部の左右に位置するように、前記あばら筋に平行に配置した１本あるいは複数本の右側縦方向補強筋および１本あるいは複数本の左側縦方向補強筋を備え、前記右側縦方向補強筋および前記左側縦方向補強筋のそれぞれは、前記上梁主筋および前記下梁主筋のそれぞれに対して、鉄筋母材の規格降伏点強度以上の溶接強度でスポット溶接されている梁筋ユニット。
【請求項２】
梁幅方向に貫通する開口部を備えた鉄筋コンクリート梁の開口部補強方法であって、
請求項１に記載の梁筋ユニットを施工現場に搬入して設置し、
前記梁筋ユニットに対して、当該梁筋ユニットにおける前記開口部に対応する部位に、当該開口部を取り囲む形状の工場生産された開口補強筋ユニットを取り付け、
前記開口補強筋ユニットとして、複数本の異形鉄筋を格子状に組み合わせることにより形成した格子状鉄筋枠ユニット、または、同心状に配置した複数の円形、楕円形あるいは多角形をした異形鉄筋の枠が連結用の異形鉄筋によって相互に連結されている同心状鉄筋枠ユニットを使用し、
前記開口補強筋ユニットを構成する前記異形鉄筋の各交差部が、鉄筋母材の規格降伏点強度以上の溶接強度で、スポット溶接されていることを特徴とする開口部を備えた鉄筋コンクリート梁の開口部補強方法。
【請求項３】
施工現場において鉄筋コンクリート梁の所定の位置に、その梁幅方向に貫通する開口部を設ける場合における当該開口部を補強する鉄筋コンクリート梁の開口部補強方法であって、
前記鉄筋コンクリート梁のシングル配筋構造の梁筋ユニットとして、
１本あるいは複数本の上梁主筋と、１本あるいは複数本の下梁主筋と、前記上梁主筋と前記下梁主筋に、所定のピッチでスポット溶接した複数本のあばら筋とを備え、前記あばら筋における前記上梁主筋および前記下梁主筋との交差部の溶接強度が鉄筋母材の規格降伏点強度以上となっている梁筋ユニットを工場生産し、
前記鉄筋コンクリート梁に形成される前記開口部を補強するための開口部補強筋ユニットとして、
前記開口部を同心状に取り囲む複数の異形鉄筋枠と、前記開口部に対して梁長さ方向の両側の位置において梁成方向に延びるように前記異形鉄筋枠に取り付けた補強用縦筋とを備え、前記補強用縦筋のそれぞれの上端および下端には所定の余長のフックが形成され、前記異形鉄筋枠と前記補強用縦筋との間が、鉄筋母材の規格降伏点強度以上の溶接強度でスポット溶接されている開口部補強筋ユニットを工場生産し、
前記梁筋ユニットおよび前記開口部補強筋ユニットを施工現場に搬入し、
前記施工現場における前記鉄筋コンクリート梁の設置場所に、前記梁筋ユニットを設置し、
前記梁筋ユニットの前記開口部を形成する部位に、当該開口部を取り囲む状態に、前記開口部補強筋ユニットを取り付ける鉄筋コンクリート梁の開口部補強方法。
【発明の詳細な説明】
【技術分野】
【０００１】
本発明は、住宅建築等におけるシングル配筋構造の鉄筋コンクリート梁あるいはシングル配筋構造の鉄筋コンクリート基礎梁（以下、これらを総称して「鉄筋コンクリート梁」と呼ぶ。）に、梁幅方向に貫通する開口部を形成する場合に用いる工場生産される梁筋ユニットに関する。また、本発明は、住宅建築等におけるシングル配筋構造の鉄筋コンクリート梁に梁幅方向に貫通する開口部を形成する場合に用いる鉄筋コンクリート梁の開口部補強方法に関する。
【背景技術】
【０００２】
住宅建築等では、鉄筋コンクリート梁の立ち上がり部に、シングル配筋構造の梁筋が用いられている。シングル配筋構造の梁筋では、上下一対の梁主筋に一定のピッチであばら筋が取り付けられている。シングル配筋の梁筋としては、工場生産されて現場に持ち込まれる梁筋ユニットが知られている。工場生産では、上下の梁主筋にあばら筋の上下端をスポット溶接して、梁筋ユニットが製作される。特許文献１には、工場生産される梁筋ユニットが記載されている。
【０００３】
鉄筋コンクリート梁の立ち上がり部においては、配管のために、梁幅方向に貫通するスリーブ開口等の開口部が形成されることがある。開口部を設けると、梁の剛性、耐力が低下する。特に、開口部の周辺には応力集中によるひび割れ（斜め割裂）が発生する。
【０００４】
そこで、梁の開口部の周辺部分を補強するために、曲げ加工した鉄筋を現場で配筋している。あるいは、工場生産によって、鉄筋をループ状に加工した開口補強筋を製作し、これを現場に搬入して、設置した梁筋の開口部に取り付けている。特許文献２には、ダブル配筋の鉄筋コンクリート梁の開口補強に用いる開口補強筋が記載されている。
【０００５】
従来における鉄筋コンクリート梁の開口部補強構造の基本的な考え方は、一般的な鉄筋コンクリート構造の場合と同様である。すなわち、引張力を開口補強筋に持たせて、斜め方向に生じるせん断応力によるコンクリートのひび割れを防止している。また、コンクリートと開口補強筋の一体化は、開口補強筋とコンクリートとの間の付着強度に頼っている。
【０００６】
特許文献２に記載されているループ状の開口補強筋を用いれば、開口補強筋の内側のコンクリートの部分は、当該開口補強筋によって拘束された状態になる。このコンクリートの拘束部分は開口補強筋と一体となって、引張力および圧縮力に耐えることが期待される。
【０００７】
この開口補強鉄筋を、シングル配筋構造の鉄筋コンクリート梁の開口部の補強に用いる場合には、シングル配筋構造の梁筋に対して単一の開口補強鉄筋が取り付けられる。この場合には、梁幅方向の両側に開口補強鉄筋を配置可能なダブル配筋構造の場合とは異なり、開口部周囲のコンクリート部分を、梁幅方向の両側から開口補強筋によって拘束した状態を形成できない。このため、開口部周囲のコンクリート部分が開口補強筋と一体となって引張力および圧縮力に耐えることを期待できない。
【０００８】
そこで、本発明者等は、特許文献３において、シングル配筋構造の鉄筋コンクリート梁において、開口補強筋と開口部周囲のコンクリート部分との一体化を積極的に形成できるようにし、これによって、開口補強強度の向上を達成できるようにした鉄筋コンクリート梁の開口部補強構造を提案している。すなわち、開口部を補強する開口補強筋ユニットを
、鉄筋母材の規格降伏点強度以上の溶接強度でスポット溶接して構成すると共に、当該開口補強筋ユニットを同様な溶接強度で梁筋ユニットにスポット溶接することを提案している。
【先行技術文献】
【特許文献】
【０００９】
【特許文献１】特開２００２−２８５６７８号公報
【特許文献２】特開２００５−１８０１７５号公報
【特許文献３】特開２０１４−８０７６３号公報
【発明の概要】
【発明が解決しようとする課題】
【００１０】
ここで、本発明者等は、特許文献３に開示の開口補強構造について様々な実験を行い、より簡単な構造で十分な開口補強を行うことができることを見出し、これに基き、より簡単な構造で十分な開口補強を実現可能な鉄筋コンクリート梁の開口部補強方法を提案するに至った。
【００１１】
また、本発明の課題は、開口部の位置が事前に決まっていない場合においても、施工現場において十分な強度の開口補強を行うことのできる鉄筋コンクリート梁の開口部補強方法を提案することにある。
【課題を解決するための手段】
【００１２】
本発明による、梁幅方向に貫通する開口部を備えた鉄筋コンクリート梁に用いるために工場生産される梁筋ユニットは、
シングル配筋構造の梁筋ユニット本体と、
前記開口部の周囲を補強するために、前記梁筋ユニット本体に溶接された複数本の開口補強筋と、
を有しており、
前記梁筋ユニット本体は、１本あるいは複数本の上梁主筋と、１本あるいは複数本の下梁主筋と、前記上梁主筋と前記下梁主筋に、所定のピッチでスポット溶接した複数本のあばら筋とを備え、前記あばら筋における前記上梁主筋および前記下梁主筋との交差部の溶接強度は鉄筋母材の規格降伏点強度以上であり、
前記開口補強筋は、前記開口部の左右に位置するように、前記あばら筋に平行に配置した１本あるいは複数本の右側縦方向補強筋および１本あるいは複数本の左側縦方向補強筋を備え、前記右側縦方向補強筋および前記左側縦方向補強筋のそれぞれは、前記上梁主筋および前記下梁主筋のそれぞれに対して、鉄筋母材の規格降伏点強度以上の溶接強度でスポット溶接されていることを特徴としている。
【００１３】
従来においては、開口部の補強筋として、開口部を格子状に取り囲む複数本の縦筋および横筋を取り付け、あるいは、開口部を取り囲む状態に複数のループ状の鉄筋枠を取り付けている。本発明者等の実験によれば、開口部の両側において、あばら筋に平行に、すなわち、梁成の方向に補強筋を配置し、これらを、鉄筋母材の規格降伏点強度以上の溶接強度で上下の梁主筋にスポット溶接することにより十分な補強強度が得られることが確認された。本発明によれば、従来とは異なり、開口部の外周を取り囲む状態に補強筋を配置することなく、左右の縦筋のみの簡単な構造で、十分な開口補強を実現できる。
【００１４】
次に、工場生産された梁筋ユニットにおける開口部の補強強度を高め、開口部形成部位のコンクリートに斜め割裂が発生することを防止あるいは抑制するためには、次のように、工場生産された開口補強筋ユニットを、施工現場において、開口部に取り付けて、当該開口部の補強強度を高めるようにすればよい。
【００１５】
すなわち、本発明による、梁幅方向に貫通する開口部を備えた鉄筋コンクリート梁の開口部補強方法は、工場生産されたシングル配筋構造の梁筋ユニットを施工現場に搬入して設置し、前記梁筋ユニットに対して、当該梁筋ユニットにおける前記開口部に対応する部位に、当該開口部を取り囲む形状をした工場生産された開口補強筋ユニットを取り付けるようにしている。
【００１６】
開口補強筋ユニットは、複数本の異形鉄筋を格子状に組み合わせることにより形成した格子状鉄筋枠ユニット、または、同心状に配置した複数の円形、楕円形あるいは多角形をした異形鉄筋の枠が連結用の異形鉄筋によって相互に連結されている同心状鉄筋枠ユニットを使用し、前記開口補強筋ユニットを構成する前記異形鉄筋の各交差部が、鉄筋母材の規格降伏点強度以上の溶接強度で、スポット溶接されていることが望ましい。
【００１７】
一方、鉄筋コンクリート梁の開口部形成位置が定まっていない場合には、工場生産により、梁筋ユニットの左右の縦方向補強筋を事前に溶接しておくことができない。この場合には、次の構成の開口部補強筋ユニットを用いて現場において開口補強を行うようにすればよい。
【００１８】
すなわち、施工現場において前記鉄筋コンクリート梁の所定の位置に、その梁幅方向に貫通する開口部を設ける場合における当該開口部を補強する鉄筋コンクリート梁の開口部補強方法は、
前記鉄筋コンクリート梁のシングル配筋構造の梁筋ユニットとして、
１本あるいは複数本の上梁主筋と、１本あるいは複数本の下梁主筋と、前記上梁主筋と前記下梁主筋に、所定のピッチでスポット溶接した複数本のあばら筋とを備え、前記あばら筋における前記上梁主筋および前記下梁主筋との交差部の溶接強度が鉄筋母材の規格降伏点強度以上となっている梁筋ユニットを工場生産し、
前記鉄筋コンクリート梁に形成される前記開口部を補強するための開口部補強筋ユニットとして、
前記開口部を同心状に取り囲む複数の異形鉄筋枠と、前記開口部に対して梁長さ方向の両側の位置において梁成方向に延びるように前記異形鉄筋枠に取り付けた補強用縦筋とを備え、前記補強用縦筋のそれぞれの上端および下端には所定の余長のフックが形成され、前記異形鉄筋枠と前記補強用縦筋との間が、鉄筋母材の規格降伏点強度以上の溶接強度でスポット溶接されている開口部補強筋ユニットを工場生産し、
前記梁筋ユニットおよび前記開口部補強筋ユニットを施工現場に搬入し、
前記施工現場における前記鉄筋コンクリート梁の設置場所に、前記梁筋ユニットを設置し、
前記施工現場において設定された前記開口部の形成位置に対応する前記梁筋ユニットの部位において、必要に応じて、前記開口部に交差する前記あばら筋を切断して除去し、
前記梁筋ユニットにおける前記開口部の形成位置（あるいは、前記あばら筋を除去した梁筋ユニットの部位）に、前記開口部を取り囲む状態に、前記開口部補強ユニットを取り付けるようにしている。
【００１９】
開口部補強筋ユニットは、開口部の左右に位置する補強用縦筋が、開口部を同心状に取り囲む異形鉄筋枠に対して、鉄筋母材の規格降伏点強度以上の溶接強度でスポット溶接されている。これらの補強用縦筋により、開口部形成部位を十分に補強することができる。
【図面の簡単な説明】
【００２０】
【図１】本発明の鉄筋コンクリート梁に用いる開口部補強構造を備えたシングル配筋による梁筋ユニットの一例を示す説明図である。
【図２】本発明の鉄筋コンクリート梁の開口部補強方法の一例を示す説明図である。
【図３】本発明の鉄筋コンクリート梁の開口部補強方法の別の例を示す説明図である。
【図４】本発明の鉄筋コンクリート梁の開口部補強方法に用いる開口補強筋ユニットの例を示す説明図である。
【発明を実施するための形態】
【００２１】
以下に、図面を参照して、本発明の実施の形態に係る鉄筋コンクリート梁の開口部補強構造を備えたシングル配筋による梁筋ユニットを説明する。
【００２２】
［開口部補強構造］
図１（ａ）は、本発明による鉄筋コンクリート梁の開口部補強構造を備えた梁筋ユニットを備えた鉄筋コンクリート梁の一例を示す説明図であり、図１（ｂ）は鉄筋コンクリート梁の開口部の部位を示す横断面図である。
【００２３】
鉄筋コンクリート梁１は、住宅用の梁、基礎梁に用いられるシングル配筋構造のものである。鉄筋コンクリート梁１は、矩形断面のコンクリート２と、この中に埋設されているシングル配筋構造の梁筋ユニット３から構成される。鉄筋コンクリート梁１における長さ方向の途中位置には、梁幅方向に貫通して延びるスリーブ開口等の円形の開口部４が形成されている。
【００２４】
梁筋ユニット３は工場生産されて施工現場に搬入されて設置される。この梁筋ユニット３は、シングル配筋構造の梁筋ユニット本体３Ａと、開口部４の周囲を補強するために、梁筋ユニット本体３Ａに溶接された複数本の開口補強筋１１、１２とを有している。
【００２５】
梁筋ユニット本体３Ａは、矩形断面のコンクリート２内において、その上下に１本ないし２本ずつ平行に配置された一対の梁主筋を備えている。例えば、上下に１本ずつ平行に配置された一対の梁主筋５、６を備えている。これらの梁主筋５、６には、それらの長さ方向に沿って、一定のピッチで、あばら筋７が取り付けられて、梯子状の梁筋ユニット３が構成されている。開口部４は、上下の梁主筋５、６の間を、当該鉄筋コンクリート梁１の幅方向に貫通して延びている。
【００２６】
梁主筋５、６および、あばら筋７には、それぞれ異形鉄筋が使用される。また、各あばら筋７の上下両端部における上下の梁主筋５、６との交差部８は、スポット溶接されている。スポット溶接の溶接強度は、鉄筋母材の規格降伏点強度以上の溶接強度とされている。
【００２７】
開口部４を補強している開口補強筋１１、１２は、開口部４を左右から（梁長さ方向の両側から）挟む状態で、シングル配筋構造の梁筋ユニット本体３Ａに取り付けられている。本例の開口補強筋１１、１２は、それぞれ、あばら筋７に平行に配置した１本あるいは複数本の右側縦方向補強筋および１本あるいは複数本の左側縦方向補強筋である。
【００２８】
また、開口補強筋１１（左側縦方向補強筋）および開口補強筋１２（右側縦方向補強筋）のそれぞれは、上下の梁主筋５、６のそれぞれに対する交差部１３において、鉄筋母材の規格降伏点強度以上の溶接強度でスポット溶接されている。
【００２９】
開口部４を取り囲むコンクリート部分は、上下の梁主筋５、６および左右のあばら筋７によって取り囲まれる。また、これら梁主筋５、６および左右のあばら筋７の内側において、上下の梁主筋５、６および左右の開口補強筋１１、１２によって取り囲まれる。これらの各部を構成している異形鉄筋枠の交差部は鉄筋母材の規格降伏点強度以上の溶接強度で接合されている。
【００３０】
したがって、これらの鉄筋５、６、７、１１、１２によって、開口部４の周囲のコンクリート部分が確実に拘束された状態が形成される。開口部周囲のコンクリート部分が圧縮破壊状態に陥っても、当該コンクリート部分は鉄筋による拘束状態が保持され、鉄筋と一体化された状態が維持される。よって、開口部４に発生したひび割れが急速に進行して鉄筋コンクリート梁１が脆性破壊する、という弊害を防止あるいは抑制できる。
【００３１】
［鉄筋コンクリート梁の開口部補強方法の例］
ここで、上記の左右の開口補強筋１１、１２によって開口部４の周囲のコンクリート部分の補強は十分なものとなる。当該開口部４の補強強度を高めて、コンクリート部分に、斜め割裂が発生し成長することを確実に防止あるいは抑制するためには、開口部４に、開口補強筋ユニットを施工現場において取り付けることが望ましい。
【００３２】
図２（ａ）は、開口補強筋ユニットによって補強された開口部４を備えた鉄筋コンクリート梁の説明図であり、図２（ｂ）はその開口部４が形成されている部位の横断面図であり、図２（ｃ）は開口補強筋ユニットの一例を示す説明図であり、図２（ｄ）は開口補強筋ユニットの別の例を示す説明図である。
【００３３】
これらの図を参照して説明すると、工場生産された梁筋ユニット３を施工現場に搬入して設置し、梁筋ユニット３に対して、当該梁筋ユニット３における開口部４に対応する部位に、当該開口部４を取り囲む形状の工場生産された開口補強筋ユニット２０を、結束筋によって取り付ける。
【００３４】
開口補強筋ユニット２０は、図示の例では、４本の異形鉄筋２１を格子状に組み合わせることにより構成した格子状鉄筋枠ユニットである。開口補強筋ユニット２０としては、例えば、同心状に配置した複数の円形、楕円形あるいは多角形をした異形鉄筋の枠が連結用の異形鉄筋によって相互に連結されている同心状鉄筋枠ユニットなどの各種形状、構造のものを使用することができる。開口補強筋ユニット２０を構成する異形鉄筋２１の各交差部２２が、鉄筋母材の規格降伏点強度以上の溶接強度で、スポット溶接されていることが望ましい。また、例えば、図２（ｄ）に示すような市販のものを用いることもできる。
【００３５】
［鉄筋コンクリート梁の開口部補強方法の別の例］
次に、鉄筋コンクリート梁１に開口部４を形成する場合、事前に、開口部４の形成位置が定まっていない場合がある。このような場合には、工場生産によって開口部４の形成部位に対応する部分に、開口補強筋１１、１２（図１参照）をスポット溶接によって取り付けておくことができない。
【００３６】
施工現場において鉄筋コンクリート梁１の所定の位置に、その梁幅方向に貫通する開口部４を設ける場合には、例えば、次のようにして、開口部４を補強することが望ましい。
【００３７】
図３（ａ）は施工現場において、あばら筋の配置位置を貫通して開口部４を形成する場合の開口部形成位置を示す説明図であり、図３（ｂ）はその断面図である。図３（ｃ）は開口部４が補強された状態の鉄筋コンクリート梁を示す説明図であり、図３（ｂ）はその開口部４が形成されている部位の横断面図である。また、図４（ａ）、（ｂ）は開口部補強に用いる開口部補強筋ユニットを示す斜視図および正面図である。
【００３８】
本例の開口部補強筋ユニット３０は、開口部４を同心状に取り囲む複数、例えば２つの内側異形鉄筋枠３１および外側異形鉄筋枠３２と、開口部４に通されるスリーブ（図示せず）を位置決めするための位置決め用異形鉄筋３３とを備えている。また、開口部４に対して梁長さ方向の両側の位置において梁成方向（あらば筋７に平行な方向）に延びるように、内側異形鉄筋枠３１、外側異形鉄筋枠３２に取り付けた異形鉄筋からなる補強用縦筋
３４、３５を備えている。
【００３９】
各補強用縦筋３４、３５のそれぞれの上端および下端には所定の余長のフック３４ａ、３４ｂ、３５ａ、３５ｂが形成されている。例えば、上端のフック３４ａ、３５ａは円弧状に折り曲げられたフックであり、下端のフック３４ｂ、３５ｂは９０°に折り曲げられたフックである。これらのフック３４ａ、３４ｂ、３５ａ、３５ｂは、梁幅方向に対して相互に離れるほぼ４５度傾斜した方向に延びている。
【００４０】
ここで、内側異形鉄筋枠３１は例えば矩形枠であり、外側異形鉄筋枠３２は正八角形枠であり、内側異形鉄筋枠３１の上下に位置する角部が溶接によって、外側異形鉄筋枠３２に接合されている。また、内外の異形鉄筋枠３１、３２に対する左右の補強用縦筋３４、３５の交差部分も溶接によって、これら異形鉄筋枠３１、３２に接合されている。これらの接合部（交差部）４１〜５０は、鉄筋母材の規格降伏点強度以上の溶接強度で溶接されていることが望ましい。
【００４１】
工場生産されて現場に搬入される開口部補強筋ユニット３０は、現場において設定された開口部４の形成位置に、当該開口部４を取り囲むように、梁筋ユニット３に取り付けられる。開口部４の位置によっては、図３（ａ）、（ｃ）に示すように、梁筋ユニット３のあばら筋７が切断される場合もある。
【００４２】
この構成の開口部補強筋ユニット３０によって補強された鉄筋コンクリート梁１の開口部４の外周部分では、開口部４を取り囲むコンクリート部分が開口部補強筋ユニット３０の内側異形鉄筋枠３１、外側異形鉄筋枠３２によって取り囲まれており、当該異形鉄筋枠３１、３２によって拘束されている。また、開口部４の両側に配置した補強用縦筋３４、３５によって、開口部４を取り囲むコンクリート部分が拘束されている。
【００４３】
異形鉄筋枠３１、３２の交差部は鉄筋母材の規格降伏点強度以上の溶接強度で接合されている。同様に、補強用縦筋３４、３５と異形鉄筋枠３１、３２との交差部も同様の溶接強度で接合されている。鉄筋コンクリート梁１の作用荷重によって、開口部補強筋ユニット３０を構成している異形鉄筋が降伏状態になる前に、溶接部分が破断あるいは分離することがない。少なくとも、鉄筋が降伏状態になるまでは、開口部補強筋ユニット３０によって、開口部４の周囲のコンクリート部分の拘束状態が維持される。
【００４４】
したがって、開口部周囲のコンクリート部分が圧縮破壊状態に陥っても、当該コンクリート部分は開口部補強筋ユニット３０による拘束状態が保持され、当該開口部補強筋ユニット３０と一体化された状態が維持される。よって、開口部４に発生したひび割れが急速に進行して鉄筋コンクリート梁１が脆性破壊する、という弊害を防止あるいは抑制できる。
【００４５】
なお、開口部補強筋ユニット３０においては、左右の補強用縦筋３４、３５が予め内側異形鉄筋枠３１および外側異形鉄筋枠３２に溶接されている。この代わりに、例えば、図４（ｃ）に示すように、市販の二重枠構造の開口部補強筋ユニット３０Ａを利用し、この両側に、１本あるいは複数本の補強用縦筋３４、３５を結束筋等で取り付けた構成の開口部補強ユニットを用いることも可能である。
【符号の説明】
【００４６】
１    鉄筋コンクリート梁
２    コンクリート
３    梁筋ユニット
３Ａ  梁筋ユニット本体
４    開口部
５、６  梁主筋
７    あばら筋
８    交差部
１１、１２  開口補強筋
１３  交差部
２０  開口補強筋ユニット
２１  異形鉄筋
２２  交差部
３０  開口部補強筋ユニット
３１  内側異形鉄筋枠
３２  外側異形鉄筋枠
３３  位置決め用異形鉄筋
３４、３５  補強用縦筋
３４ａ、３４ｂ、３５ａ、３５ｂ  フック
４１〜５０  接合部（交差部）
【図１】
2017122378.tif 000003
【図２】
2017122378.tif 000004
【図３】
2017122378.tif 000005
【図４】
2017122378.tif 000006